(57)【特許請求の範囲】
【請求項１】
信号を送受信する通信手段と、
位置情報を取得する位置情報取得手段と、
非音声情報を入力及び各種の機能を選択又は操作するための操作手段と、
前記操作手段により通信相手先を指定し、前記操作手段に含まれる発信ボタンを操作することにより前記通信手段により前記指定した通信相手に発信する制御手段とを有し、
前記制御手段は、前記指定した通信相手に発信するとき、前記操作手段で予め定められた操作が行われたとき、前記通信相手に位置情報を通知するとともに発信することを特徴とする携帯通信機器。
【請求項２】
前記制御手段は、前記予め定められた操作として、発信ボタンの押下が所定時間以上であるとき、前記通信相手に位置情報を通知することなく発信し、発信ボタンの押下が所定時間以下であるとき、前記通信相手に位置情報を通知するとともに発信することを特徴とする請求項１に記載の携帯通信機器。
【請求項３】
前記制御手段は、前記操作手段で予め定められた操作が行われたとき、位置情報取得手段の動作を停止することを特徴とする請求項１または２に記載の携帯通信機器。
【請求項４】
信号を送受信する通信手段と、
位置情報を取得する位置情報取得手段と、
非音声情報を入力及び各種の機能を選択又は操作するための操作手段と、
前記通信手段を介し着信があったとき、前記操作手段に含まれる着信応答ボタンを操作することにより、前記通信相手と通信を行うことを制御する制御手段とを有し、
前記制御手段は、着信に応答するとき、前記操作手段で予め定められた操作が行われたとき、前記通信相手に位置情報を通知するとともに着信に応答することを特徴とする携帯通信機器。
【請求項５】
前記制御手段は、前記予め定められた操作として、着信応答ボタンの押下が所定時間以上であるとき、前記通信相手に位置情報を通知することなく着信に応答し、着信応答ボタンの押下が所定時間以下であるとき、前記通信相手に位置情報を通知するとともに着信に応答することを特徴とする請求項４に記載の携帯通信機器。
【請求項６】
前記制御手段は、前記操作手段で予め定められた操作が行われたとき、位置情報取得手段の動作を停止することを特徴とする請求項４または５に記載の携帯通信機器。
【請求項７】
信号を送受信する通信ステップと、
位置情報を取得する位置情報取得ステップと、
非音声情報を入力及び各種の機能を選択又は操作するための操作ステップと、
前記操作ステップにより通信相手先を指定し、発信ボタンを操作することにより前記通信手段により前記指定した通信相手に発信する制御ステップと、
前記制御ステップにより前記指定した通信相手に発信するとき、予め定められた操作が行われたとき、前記通信相手に位置情報を通知するとともに発信する発信ステップとを含むこと特徴とする通信方法。
【請求項８】
信号を送受信する通信ステップと、
位置情報を取得する位置情報取得ステップと、
非音声情報を入力及び各種の機能を選択又は操作するための操作ステップと、
前記通信手段を介し着信があったとき、着信応答ボタンを操作することにより、通信相手と通信を行うことを制御する制御ステップと、
前記制御ステップにより着信に応答するとき、予め定められた操作が行われたとき、前記通信相手に位置情報を通知するとともに着信に応答する応答ステップとを含むことを特徴とする通信方法。
【請求項９】
前記通信手段および前記位置情報取得手段を兼用で構成する事を特徴とする請求項１から３に記載の携帯通信機器。
【請求項１０】
前記通信手段および前記位置情報取得手段を兼用で構成する事を特徴とする請求項４から６に記載の通信方法。
【発明の詳細な説明】
【０００１】
【産業上の利用分野】
本発明は、衛星を利用した無線通信装置に関する。
【０００２】
【従来の技術】
GPS搭載携帯電話機では、GPS衛星からの信号を受信し、位置、年月日、時刻のデータを得ることができる。そのシステム構成を図３に示す。図３に示すように、GPS搭載携帯電話機は、音声及び非音声のデータを送受信するアンテナ（１）、アンテナから受信された情報を受信部（４）に送り、また送信する信号を送信部（５）より受取ってアンテナ（３）を介して送信するように切替えるデュプレクサ（３）と、受信信号（４）を復調し、制御部（６）へ送信する受信部（４）と受信された信号を処理し、システム全体を制御する制御部（６）と、受信された信号が音声であれば音声出力するためのスピーカ（２）と、受信された信号が非音声であれば表示したり、その他操作のために必要な情報を表示したり等行う表示部（７）と、各機能を動作させるためのプログラムや電話帳データ、着信情報などの種々の情報を保持する記憶部（１０）と、本携帯端末を操作するための操作部（８）と、音声入力するためのマイク（９）及び、マイク（９）から入力された音声情報や操作部（８）から入力された非音声情報を送信に適した形式に変換する送信部（５）と、GPS衛星からのデータを受信するためのGPSアンテナ（１２）と、GPS衛星から受取った位置情報等を、制御部で処理できる形式のデータに変換するGPS処理部（１１）から構成されている。
【０００３】
特開平９−１８４８７８では、GPS行き先探索表示システムが開示されている。特開平９−１９４８７８では、GPS受信装置を備え、GPSより自分の位置情報を獲得できる携帯端末機と、地図表示部を有したナビゲーション装置を備え、電話回線に接続された通信装置で構成されている。この通信装置が携帯端末を呼び出し、携帯端末でこの呼出に応答した場合、携帯端末は応答と同時に自分の位置情報を通信端末に自動送信する。位置情報を受取った通信装置は、その位置を地図上に表示することができ、呼び出した相手の位置を確認することができる。
【０００４】
また、特開２０００−２７５０５６では、車載用通信システムが開示されている。特開２０００−２７５０５６では、携帯通信端末とカーナビゲーションを組み合わせており、携帯通信端末で受信した受信情報を表示部に表示できるようになっている。着信があった場合に、相手からの受信情報から相手の位置情報を確認し、得られた位置情報を基にその位置に対応する地図データを検索し、この検索された地図と相手の位置が表示部に表示されることができる。
【０００５】
上記のいずれの場合においても、通信を行うことにより自分の位置が通信相手に送信されて、相手に自分の位置が知られてしまう。通信相手に自分の位置を知らせたくない場合、その相手を予め登録できる方法として、特願２００１−００４１２１と特願２００１−０８３４７８がある。両者とも、位置情報を知らせたくない場合は、その相手を予め「位置確認不可能リスト」に登録することによって、位置情報が知られるのを防止しようという方法である。
【０００６】
特願２００１−００４１２１では、ある携帯機器のユーザは位置確認不可能リストを作成して、該リスト内に位置確認されたくない人物を登録する。この位置確認不可能リストを位置情報サービスセンターに送信し、位置情報サービスセンターでは、位置確認のアクセスがあった時に、そのアクセス者が位置確認不可能リストに登録されていないかどうかを確認する。登録されている場合、位置確認不可能であるメッセージを該アクセス者に送信する。
また、特願２００１−０８３４７８では、ある携帯機器のユーザＢは位置確認不可能リストを作成して、該リスト内に位置確認されたくない人物（例えば、ユーザＡ）を登録する。この位置確認不可能リストをユーザBの携帯電話内に保持し、ユーザAの携帯電話から位置確認の要求があった時に、ユーザAが位置確認不可能リストに登録されていないかどうかを確認する。登録されている場合、位置確認不可能であるメッセージを該ユーザBに送信する。
【０００７】
【発明が解決しようとする課題】
位置情報サービスのためのパスワードを複数の人に教え、その一部又は全ての人に自分の位置を知られたくない場合がある。しかし、パスワードを知っている人は、いつでも位置情報サービスを利用して位置情報を得ることができる。そのため、パスワードを知っている人は、常に、相手の位置を確認することができることになり、従来の方法では、十分なプライバシー保護ができなかった。
【０００８】
従って、自分の位置を知られたくない場合は、電源を切るか上記のように、位置確認不可能リストを利用するしかなかった。しかし、電源を切ると通常の携帯電話の使用もできなくなるという不便さがあった。
【０００９】
また、位置確認不可能リストに登録していなければ、位置情報は送信される.位置確認不可能リストに登録していない場合でも、その時だけ位置情報を送信したくない場合に、わざわざ位置確認不可能リストに登録するのは煩わしい操作であった。
【００１０】
【課題を解決するための手段】
本願発明は、上記問題に鑑みなされたものであり、信号を送受信する通信手段と、位置情報を取得する位置情報取得手段と、非音声情報を入力及び各種の機能を選択又は操作するための操作手段と、操作手段により通信相手先を指定し、操作手段に含まれる発信ボタンを操作することにより通信手段により指定した通信相手に発信する制御手段とを有し、制御手段は、指定した通信相手に発信するとき、操作手段で予め定められた操作が行われたとき、通信相手に位置情報を通知するとともに発信することを特徴とする携帯通信機器である。
【００１１】
さらに本願発明の制御手段は、操作手段で予め定められた操作が行われたとき、位置情報取得手段の動作を停止することを特徴とする携帯通信機器である。
【００１２】
また本願発明は、信号を送受信する通信手段と、位置情報を取得する位置情報取得手段と、非音声情報を入力及び各種の機能を選択又は操作するための操作手段と、通信手段を介し着信があったとき、操作手段に含まれる着信応答ボタンを操作することにより、通信相手と通信を行うことを制御する制御手段とを有し、制御手段は、着信に応答するとき、操作手段で予め定められた操作が行われたとき、通信相手に位置情報を通知するとともに着信に応答することを特徴とする携帯通信機器である。
【００１３】
さらに本願発明の制御手段は、操作手段で予め定められた操作が行われたとき、位置情報取得手段の動作を停止することを特徴とする携帯通信機器である。
【００１４】
信号を送受信する通信ステップと、位置情報を取得する位置情報取得ステップと、非音声情報を入力及び各種の機能を選択又は操作するための操作ステップと、操作手段により通信相手先を指定し、発信ボタンを操作することにより通信手段により指定した通信相手に発信する制御ステップと、制御ステップにより前記指定した通信相手に発信するとき、予め定められた操作が行われたとき、通信相手に位置情報を通知するとともに発信する発信ステップとを含む通信方法である。
【００１５】
信号を送受信する通信ステップと、位置情報を取得する位置情報取得ステップと、非音声情報を入力及び各種の機能を選択又は操作するための操作ステップと、通信手段を介し着信があったとき、着信応答ボタンを操作することにより、通信相手と通信を行うことを制御する制御ステップと、制御ステップにより着信に応答するとき、予め定められた操作が行われたとき、前記通信相手に位置情報を通知することなく着信に応答する応答ステップとを含む通信方法である。
【００１８】
【発明の実施例】
以下、本発明の実施例を、図面に沿って具体的に説明する。
【００１９】
本発明に係るGPS搭載携帯電話機の構成は、図３に示す従来のGPS搭載電話機と同様であるため、ここでは説明を省略する。本願発明では、発信時には、操作部（８）に設けられた発信ボタンを長押しすることで、発信先への位置情報の送信を行わないように制御し、また着信時には、操作部（８）に設けられた着信応答ボタンを長押しして応答することで、発信元へ自分の位置情報を通知しないように制御する。
【００２０】
次に、本発明のフローチャートを図１に示す。図１には、着信時の動作について示されている。待ち受け中において、あるユーザAから着信があると（S101）、着信を受けたユーザは、ユーザAに自分の現在位置を通知するか否かを判断する（S102）。自分の位置をユーザAに通知する場合は、着信応答ボタンを従来通り短押しする（S106）。これによって、位置情報は送信され、通話が開始される。
【００２１】
このとき位置情報の送信は、制御部（６）の制御により、GPS処理部及びGPSアンテナより得られた現在位置情報を、送信部（５）、アンテナ（１）を介して、着信応答信号と共にユーザAに送信される。ここでいう位置情報とは、GPSより得られた緯度、経度情報や自分の位置を表示した地図画像情報などであるが、これに限定されるものではなく、位置を知ることができる情報であれば如何なる形式であっても構わない。
【００２２】
また、ユーザAは、このような位置情報を受取ると、相手の位置を画面で確認できる。例えば、ユーザAの携帯端末が２画面を有していれば、どちらか一方の画面に相手の位置情報が表示され、ユーザAの携帯端末が１画面の機種であれば、その画面に相手の位置情報が表示される。
【００２３】
一方、自分の位置をユーザAに知らせたくない場合、着信応答ボタンを長押しして応答する（S103）。これにより、位置情報はユーザAに送信されずに通話が開始される。
【００２４】
このとき位置情報の送信は、制御部（６）の制御により、GPS処理部及びGPSアンテナより得られた現在位置情報を、送信部（５）に対して出力しないことによりユーザAに送信されないようにする。しかし、この方法に限定されるものではなく、ユーザAに位置情報が送信されないようにする方法であれば如何なる方法であっても構わない。
【００２５】
また、ユーザAは、このような位置情報を受取れないので、相手の位置を画面で確認することができない。これは、ユーザAの携帯端末がどのようなタイプの機種であろうとも、位置情報が受取れないので表示できなくなるのである。従って、例えば、ユーザAの携帯端末が２画面を有していようと、１画面の機種であろうと、その画面に相手の位置情報が表示されないことにかわりはない。
【００２６】
次に、図２には、発信時の動作について示す。電話帳等からユーザAを選択するか、ユーザAの電話番号又はアドレスを操作部（８）により入力することで、発信先にユーザAを指定する（S201）。次に、ユーザAに自分の現在位置を通知するか否かを判断する（S２０２）。自分の位置をユーザAに通知する場合は、発信ボタンを従来通り短押しする（S２０６）。これによって、位置情報は送信され、発信される。
【００２７】
このとき位置情報の送信は、制御部（６）の制御により、GPS処理部及びGPSアンテナより得られた現在位置情報を、送信部（５）、アンテナ（１）を介して、発信信号と共にユーザAに送信される。ここでいう位置情報とは、GPSより得られた緯度、経度情報や自分の位置を表示した地図画像情報などであるが、これに限定されるものではなく、位置を知ることができる情報であれば如何なる形式であっても構わない。
【００２８】
また、ユーザAは、このような位置情報を受取ると、相手の位置を画面で確認できる。例えば、ユーザAの携帯端末が２画面を有していれば、どちらか一方の画面に相手の位置情報が表示され、ユーザAの携帯端末が１画面の機種であれば、その画面に相手の位置情報が表示される。このようなユーザAにおける相手の位置情報の表示は、着信応答の前であっても後であっても構わない。
【００２９】
一方、自分の位置をユーザAに知らせたくない場合、発信ボタンを長押しして発信する（S２０３）。これにより、位置情報はユーザAに送信されずに発信される。
【００３０】
このとき位置情報の送信は、制御部（６）の制御により、GPS処理部及びGPSアンテナより得られた現在位置情報を、送信部（５）に対して出力しないことによりユーザAに送信されないようにする。しかし、この方法に限定されるものではなく、ユーザAに位置情報が送信されないようにする方法であれば如何なる方法であっても構わない。
【００３１】
また、ユーザAは、このような位置情報を受取れないので、相手の位置を画面で確認することができない。これは、ユーザAの携帯端末がどのようなタイプの機種であろうとも、位置情報が受取れないので表示できなくなるのである。従って、例えば、ユーザAの携帯端末が２画面を有していようと、１画面の機種であろうと、その画面に相手の位置情報が表示されないことにかわりはない。
【００３２】
上記の実施例では、位置情報の送信制御は制御部（６）で行う例を示したが、例えば、発信ボタンや着信応答ボタンの長押しによりGPS機能をオフにして、位置情報の送信をしないようにしても構わない。
【００３３】
また、相手側の携帯端末が位置情報報知に対応していなければ自分の位置を知られることはないが、相手の携帯端末がどのような機種であるかどうかわからない場合は、発信ボタンや着信応答ボタンを長押しすれば、安全に位置情報の報知を止めることができる。
【００３４】
また、GPS機能をオフすれば、自分の位置情報も送信されないと同時に相手の位置情報も知ることができないようにするように構成しても構わない。
【００３５】
また、発信ボタンや着信応答ボタンの長押しで通信した場合、自分の位置情報が送信されないと同時に相手の位置情報もしることができないようにしても構わない。
【００３６】
また、上記の長押し、短押しの区別方法は、様々な基準があるが、例えば１秒以上押しつづけた場合を長押し、一秒未満の押下の場合は短押しという判断を行う。しかし、本願発明では、一秒を判断基準にすることに限定するものではなく、いかなる時間を判断基準にしてもよいし、ユーザが自分で判断基準となる時間を設定できるようにしても構わない。
【００３７】
また、本実施例における位置情報の獲得は、ＧＰＳシステムを利用する方法で記載したが、位置情報が獲得できる手段であれば如何なる方法であっても構わない。例えば、各携帯電話端末が通信している基地局の設置位置を基に位置情報を獲得する方法などがある。
【００３８】
【発明の効果】
本発明は、信号を送受信する通信手段と、位置情報を取得する位置情報取得手段と、非音声情報を入力及び各種の機能を選択又は操作するための操作手段と、操作手段により通信相手先を指定し、操作手段に含まれる発信ボタンを操作することにより通信手段により指定した通信相手に発信する制御手段とを有し、制御手段は、指定した通信相手に発信するとき、操作手段で予め定められた操作が行われたとき、通信相手に位置情報を通知するとともに発信することを特徴とする携帯通信機器である。
【００３９】
この発明により、発信時に自動的に自分の位置を通信相手に送信するように設定されたＧＰＳ機能付き携帯通信機器では、発信ボタンを長押しすることで、その発信時においてのみ位置情報を送信しないようにすることができる。従って、簡単な操作で位置情報を送信しないようにできるため、従来のように位置確認不可能リストに登録するなどの面倒な操作が必要なく、操作性が良くなる。
【００４０】
さらに本発明は、信号を送受信する通信手段と、位置情報を取得する位置情報取得手段と、非音声情報を入力及び各種の機能を選択又は操作するための操作手段と、通信手段を介し着信があったとき、操作手段に含まれる着信応答ボタンを操作することにより、通信相手と通信を行うことを制御する制御手段とを有し、制御手段は、着信に応答するとき、操作手段で予め定められた操作が行われたとき、通信相手に位置情報を通知するとともに着信に応答することを特徴とする携帯通信機器である。
【００４１】
この発明によると、着信応答時に自動的に自分の位置を通信相手に送信するように設定されたＧＰＳ機能付き携帯通信機器では、着信応答ボタンを長押しすることで、その着信応答時においてのみ位置情報を送信しないようにすることができる。従って、簡単な操作で位置情報を送信しないようにできるため、従来のように電源を切ったり、着信を無視したりして通話をできないようにする必要はなく、また位置確認不可能リストに登録するなどの面倒な操作も必要なく、操作性が良くなる。
【００４２】
さらに本願発明の制御手段は、操作手段で予め定められた操作が行われたとき、位置情報取得手段の動作を停止することを特徴とする携帯通信機器である。
【００４３】
この発明により、発信時に自動的に自分の位置を通信相手に送信するように設定されたＧＰＳ機能付き携帯通信機器では、発信ボタンを長押しすることで、ＧＰＳ機能そのものが停止されるため、その発信時においては位置情報を有さないように制御される。そのため、位置情報は通信相手に送信されない。従って、簡単な操作で位置情報を送信しないようにできるため、従来のように位置確認不可能リストに登録するなどの面倒な操作が必要なく、操作性が良くなる。
【００４５】
この発明により、着信応答時に自動的に自分の位置を通信相手に送信するように設定されたＧＰＳ機能付き携帯通信機器では、着信応答ボタンを長押しすることで、その着信応答時においてのみＧＰＳ機能を停止させ、位置情報を獲得できないようにするため、位置情報を保持できず、通信相手に位置情報が送信されない。従って、簡単な操作で位置情報を送信しないようにできるため、従来のように電源をオフしたり着信を無視して通話できないようにする必要もなく、また位置確認不可能リストに登録するなどの面倒な操作も必要なく、操作性が良くなる。
【図面の簡単な説明】
【図１】本発明の実施例の着信時のフローチャート。
【図２】本発明の実施例の発信時のフローチャート。
【図３】本発明及び従来技術のブロック図。
【符号の説明】
１    アンテナ
２    スピーカ
３    デュプレクサ
４    受信部
５    送信部
６    制御部
７    表示部
８    操作部
９    マイク
１０  記憶部
１１  ＧＰＳ処理部
１２  ＧＰＳアンテナ
【図１】
0003806642.tif 000002
【図２】
0003806642.tif 000003
【図３】
0003806642.tif 000004